(57)【要約】【課題】低角度で切断されたゴムシート片を簡素な装置で円滑に切断装置より搬出して接合装置へ搬入することができるスチールコード入りゴムシート片の搬送装置を提供する。【解決手段】帯状ゴムシート１１Ａをそのスチールコードの長手方向に対して所定角度に切断する切断装置１２と、この切断したゴムシート片１１ａを順次接合する接合装置１５との間に介装されて、ゴムシート片を切断装置から接合装置へ搬出する搬出コンベア１４を備えたスチールコード入りゴムシート片の搬送装置において、切断されたゴムシート片１１ａの搬出コンベアからのオーバーハング部１１ｃを支持する摺動板２５を設置した。【選択図】図２
2010158735.tif 000002
【特許請求の範囲】
【請求項１】
スチールコードが長手方向に埋設された帯状ゴムシートをスチールコードの長手方向に対して所定角度に切断する切断装置と、この切断したゴムシート片を順次接合する接合装置との間に介装されて、前記ゴムシート片を切断装置から接合装置へ搬出する搬出コンベアを備えたスチールコード入りゴムシート片の搬送装置において、
前記切断されたゴムシート片の前記搬出コンベアからのオーバーハング部を支持する摺動板を設置したことを特徴とするスチールコード入りゴムシート片の搬送装置。
【請求項２】
前記摺動板は、前記搬出コンベアの切断装置側前方に局所的に設置されることを特徴とする請求項１に記載のスチールコード入りゴムシート片の搬送装置。
【請求項３】
前記ゴムシート片の搬送装置のシフト前の前記搬出コンベアの正転により、ゴムシート片のオーバーハング部の先端部が前記摺動板上に支持されることを特徴とする請求項１に記載のスチールコード入りゴムシート片の搬送装置。
【発明の詳細な説明】
【技術分野】
【０００１】
本発明は、タイヤ製造工程におけるカーカス・ベルト部の材料加工に使用されるスチールコード入りゴムシート片の搬送装置に関する。
【背景技術】
【０００２】
この種装置として、例えば図５に示すようなものが知られている（特許文献１参照）。
【０００３】
これによれば、図示しない巻出装置から巻き出された、スチールコードが長手方向に埋設された帯状ゴムシート１００は、切断装置１０１にてスチールコードの長手方向に対して所定角度に切断される（図中の切断線Ｃ参照）。この切断されたゴムシート片１００Ａは搬送装置１０２の搬出コンベア１０３上に載置された後、当該搬出装置１０２の図中左方へのシフトにより、接合装置１０４の搬入コンベア１０５の延長線上に位置される。その後、搬出コンベア１０３及び搬入コンベア１０５の正転により、ゴムシート片１００Ａは搬出コンベア１０３上から搬入コンベア１０５上に受け渡されるようになっている。
【０００４】
このようにして受け渡された、先行ゴムシート片１００Ａの後端と後行ゴムシート片１００Ａの前端とが接合装置１０４の図示しない接合ユニットにより順次突合せ接合されて再び帯状ゴムシートとなった後、図示しない卷取装置に巻き取られる。
【先行技術文献】
【特許文献】
【０００５】
【特許文献１】特許第２９２３０６６号公報
【特許文献２】特許第３２０２４０９号公報
【発明の概要】
【発明が解決しようとする課題】
【０００６】
ところで、このような搬送装置においては、搬出コンベア１０３のベルト端面は、切断装置１０１の下刃保持構造部１０６と搬出コンベア１０３の図示しないベルト支持構造部の介在により、切断線Ｃの最寄りには配置できず、これによって、切断されたゴムシート片１００Ａは、寸法Ｗだけオーバーハングされた形態で搬出コンベア１０３上に支持されることになる。
【０００７】
そのため、ゴムシート片の切断角度（スチールコードの配列方向と切断線Ｃとのなす角度θ）が例えば２０度以上のゴムシート片１００Ｂであれば、ゴムシート片１００Ｂを構成するスチールコードの剛性のためオーバーハング部も垂れ下がることなく水平状態を保持するので、搬出コンベア１０３上から搬入コンベア１０５上に円滑に移載させられる。
【０００８】
ところが、近年、タイヤ構造の高機能化のために、ゴムシート片１００Ａのように上記切断角度が低角度（例えば約６度）になるものがあり、このようなものにあっては、オーバーハング部の先端側において寸法Ｌで示す長さに亙って搬出コンベア１０３のベルトに支持されない部分が生じ、当該部分はスチールコードの剛性では支持できないことから、垂れ下がりが生じ、搬出コンベア１０３上から搬入コンベア１０５上に円滑に移載させることができないという問題点があった。
【０００９】
尚、垂れ下がったオーバーハング部を有するゴムシート片１００Ａを搬出コンベア１０３上から搬入コンベア１０５上に円滑に移載させるために、オーバーハング部をマグネットやバキュームパッド（特許文献２参照）等で水平に保持する装置を追設することが可能であるが、これだと構造が複雑になると共にコストアップを招来するという不具合がある。
【００１０】
そこで、本発明は、低角度で切断されたゴムシート片を簡素な装置で円滑に切断装置より搬出して接合装置へ搬入することができるスチールコード入りゴムシート片の搬送装置を提供することを目的とする。
【課題を解決するための手段】
【００１１】
斯かる目的を達成するための本発明に係るスチールコード入りゴムシート片の搬送装置は、
スチールコードが長手方向に埋設された帯状ゴムシートをスチールコードの長手方向に対して所定角度に切断する切断装置と、この切断したゴムシート片を順次接合する接合装置との間に介装されて、前記ゴムシート片を切断装置から接合装置へ搬出する搬出コンベアを備えたスチールコード入りゴムシート片の搬送装置において、
前記切断されたゴムシート片の前記搬出コンベアからのオーバーハング部を支持する摺動板を設置したことを特徴とする。
【００１２】
前記摺動板は、前記搬出コンベアの切断装置側前方に局所的に設置されることを特徴とする。
【００１３】
前記ゴムシート片の搬送装置のシフト前の前記搬出コンベアの正転により、ゴムシート片のオーバーハング部の先端部が前記摺動板上に支持されることを特徴とする。
【発明の効果】
【００１４】
本発明に係るスチールコード入りゴムシート片の搬送装置によれば、低角度で切断されたゴムシート片であっても、搬送装置における搬出コンベアからのオーバーハング部の先端部を摺動板を介して円滑に接合装置へ移載させることができる。そして、前記摺動板は簡素でかつ安価に設置することができる。
【図面の簡単な説明】
【００１５】
【図１】本発明の一実施例を示すスチールコード入りゴムシート片の搬送装置の構造説明図である。
【図２】スチールコード入りゴムシート片の搬送装置の作用説明図である。
【図３】スチールコード入りゴムシート片の搬送装置とその周辺装置の配置図である。
【図４】図３のＡ−Ａ矢視図である。
【図５】従来のスチールコード入りゴムシート片の搬送装置の作用説明図である。
【発明を実施するための形態】
【００１６】
以下、本発明に係るスチールコード入りゴムシート片の搬送装置を実施例により図面を用いて詳細に説明する。
【実施例】
【００１７】
図１は本発明の一実施例を示すスチールコード入りゴムシート片の搬送装置の構造説明図、図２はスチールコード入りゴムシート片の搬送装置の作用説明図、図３はスチールコード入りゴムシート片の搬送装置とその周辺装置の配置図、図４は図３のＡ−Ａ矢視図である。
【００１８】
図３に示すように、例えば約６度の低角度切断用の巻出装置１０Ａと例えば約３０度の高角度切断用の巻出装置１０Ｂが設置され、これらから巻き出された、スチールコードが長手方向に埋設された低角度切断用の帯状ゴムシート１１Ａと高角度切断用の帯状ゴムシート１１Ｂは、後述する切断装置１２にてスチールコードの長手方向に対して上述した所定角度に切断される（図中の切断線Ｃ参照）。
【００１９】
これらの低角度で切断されたゴムシート片１１ａと高角度で切断されたゴムシート片１１ｂは、後述する搬送装置１３の搬出コンベア１４上に載置された後、当該搬出コンベア１４の図中左方へのシフトにより、接合装置１５の搬入コンベア１６の延長線上に位置され、その後の搬出コンベア１４及び搬入コンベア１６の正転により、ゴムシート片１１ａ，１１ｂは搬出コンベア１４上から搬入コンベア１６上に受け渡されるようになっている。
【００２０】
そして、上述したように受け渡された、先行ゴムシート片１１ａ，１１ｂの後端と後行ゴムシート片１１ａ，１１ｂの前端とが接合装置１５の図示しない接合ユニットにより順次突合せ接合されて再び帯状ゴムシートとなった後、卷取装置１７に巻き取られる。
【００２１】
図４に示すように、前記切断装置１２は、帯状ゴムシート１１Ａ，１１Ｂが送出されるテーブル２０と断面矩形の長尺刃物からなる下刃２２と該下刃取付用の取付台２３と該取付台２３に付設された下刃保持構造部２３ａと前記下刃２２上に対設されたディスクカッターからなる上刃２１とを備え、該上刃２１は適宜の押付装置及び駆動装置で下刃２２の長手方向に移動操作されかつ回転駆動されることで、上述した帯状ゴムシート１１Ａ，１１Ｂが切断されてゴムシート片１１ａ，１１ｂとなり、搬送装置１３の搬出コンベア１４上に載置されるようになっている。
【００２２】
図１及び図２に示すように、前記搬送装置１３には、低角度で切断されたゴムシート片１１ａの搬出コンベア１４からのオーバーハング部（その先端部１１ｃ参照）を当該オーバーハング部の下面側から支持する摺動板２５が設置される。
【００２３】
図示例では、前記摺動板２５は、搬出コンベア１４のベルト１４ｃが掛け回されるローラ１４ｂとの干渉を回避するべく切欠き２５ａを有した方形小片状に形成されて切断装置側前方に位置したベルト支持構造部１４ａ上に固設される。即ち、搬出コンベア１４の切断装置側前方に局所的に設置されるのである。
【００２４】
従って、前記切断装置１２で切断されたゴムシート片１１ａのオーバーハング部は、一旦、切断装置１２の下刃保持構造部２３上に担持され、この状態で搬送装置１３の搬出コンベア１４を正転し、所定距離だけ送り出すことで、ゴムシート片１１ａにおけるオーバーハング部の先端部１１ｃが前記摺動板２５上に支持される。
【００２５】
この後、搬出コンベア１４の回転停止下で搬出装置１３を図中左方へシフトして接合装置１５の搬入コンベア１６の延長線上に位置させる。即ち、ゴムシート片１１ａの切断線Ｃが接合装置１５の接合基準線に合致する位置へ搬出されるのである。
【００２６】
次いで、搬出コンベア１４を再度正転させれば、オーバーハング部の先端部１１ｃが摺動板２５上を摺動して同じく正転下にある接合装置１５の搬入コンベア１６におけるベルト上に移載され、ゴムシート片１１ａは搬送装置１３の搬出コンベア１４上から接合装置１５の搬入コンベア１６上へ受け渡される。
【００２７】
このようにして本実施例によれば、低角度で切断されたゴムシート片１１ａであっても、搬送装置１３における搬出コンベア１４からのオーバーハング部の先端部１１ｃを摺動板２５を介して円滑に接合装置１５へ移載させることができる。
【００２８】
そして、オーバーハング部をマグネットやバキュームパッド等で水平に保持する装置を追設することなく、摺動板２５を設置するというは簡素な構造で済むので、大きなコストアップも招来しない。
【００２９】
尚、本発明は上記実施例に限定されず、本発明の要旨を逸脱しない範囲で、各種変更が可能であることはいうまでもない。例えば、摺動板は局所的でなく、ゴムシート片のオーバーハング部の全域（全長）に亙る長さを有しても良い。
【産業上の利用可能性】
【００３０】
本発明に係るスチールコード入りゴムシート片の搬送装置は、自動車等の空気入りタイヤの製造工程において用いられると好適である。
【符号の説明】
【００３１】
１０Ａ  低角度切断用の巻出装置
１０Ｂ  高角度切断用の巻出装置
１１Ａ  低角度切断用の帯状ゴムシート
１１Ｂ  高角度切断用の帯状ゴムシート
１１ａ  低角度で切断されたゴムシート片
１１ｂ  高角度で切断されたゴムシート片
１１ｃ  低角度で切断されたゴムシート片のオーバーハング部
１２  切断装置
１３  搬送装置
１４  搬出コンベア
１４ａ  ベルト支持構造部
１５  接合装置
１６  搬入コンベア
１７  卷取装置
２０  テーブル
２１  上刃
２２  下刃
２３  取付台
２３ａ  下刃保持構造部
２５  摺動板
２５ａ  切欠き
【図１】
2010158735.tif 000003
【図２】
2010158735.tif 000004
【図３】
2010158735.tif 000005
【図４】
2010158735.tif 000006
【図５】
2010158735.tif 000007